(57)【要約】【課題】壁面に傷をつけることなく強固に固定できる換気フードを提供することを目的とする。【解決手段】中空円筒形のダクトに配置するカバーと、当該カバーを前記ダクトに固定するための係止部材とを備えた換気フードであって前記カバーは、前記ダクトの内周側にて挿抜可能な円筒部を備え、前記係止部材は、外周径と略同一の内周径であるリング形状を有する受け部と、前記受け部から前記リング形状における中心軸と平行方向に突出する複数の支持体と、前記支持体の先端にて前記円筒部の挿入方向における先端により外周方向に押し出される抜け規制部と、前記カバーに固定可能な固定構造と、を備えた換気フードを提供する。【選択図】図１
2018031513.tif 000002
【特許請求の範囲】
【請求項１】
中空円筒形のダクト外部に配置するカバーと当該カバーを前記ダクトに固定するための係止部材とを備えた換気フードであって、
前記カバーは、
前記ダクトの内周側にて挿抜可能な円筒部を備え、
前記係止部材は、
前記円筒部の外周径と略同一の内周径であるリング形状を有する受け部と、
前記受け部から前記リング形状における中心軸と平行方向に突出する複数の支持体と、
前記支持体の先端にて前記円筒部の挿入方向における先端により外周方向に押し出される抜け規制部と、
前記カバーに固定可能な固定構造とを備えた換気フード。
【請求項２】
前記円筒部の前記ダクトへの固定は、
前記固定構造を介して前記係止部材を係着した前記円筒部の前記ダクトへの挿入状態において前記円筒部の挿入方向における先端が前記抜け規制部をダクト内周壁に付勢することによって行われる請求項１記載の換気フード。
【請求項３】
前記係止部材は、
前記支持体の外周側にて外周方向に突出した抜止部を備え、
前記抜止部は、
前記円筒部の前記ダクトへの挿入状態において当該円筒部の抜け方向への移動を抑制する請求項１または２に記載の換気フード。
【請求項４】
前記抜止部は、
前記円筒部の挿入方向における先側にて前記支持体と固定される支持体固定部と、
前記円筒部の挿入方向における後側にて前記支持体から前記支持体固定部よりも外周側に立ち上がる返し部とを備えた請求項１から３のいずれかに記載の換気フード。
【請求項５】
前記抜止部は、
前記円筒部の挿入方向への移動に比して前記円筒部の抜け方向への移動を抑制する楔部を備えた請求項１から４のいずれかに記載の換気フード。
【請求項６】
前記抜止部は、
前記円筒部の挿入方向への移動に比して前記円筒部の抜け方向への移動を抑制する楔部を前記返し部に備えた請求項５に記載の換気フード。
【請求項７】
前記円筒部は、
外周側にねじ部Ａを備え、
前記固定構造は、
前記受け部の内周側に施され前記ねじ部Ａに対応するねじ部Ｂであり、
前記カバーと前記係止部材との固定は、
前記ねじ部Ａと前記ねじ部Ｂとの螺合により行われる請求項１から６のいずれかに記載の換気フード。
【請求項８】
前記係止部材は、
前記受け部から前記リング形状における半径方向に張り出すフランジ部を備え、
前記カバーは、
ねじ孔Ｘを備え、
前記固定構造は、
前記フランジ部に設けられ前記ねじ孔Ｘに対応するねじ孔Ｙであり、
前記カバーと前記係止部材との固定は、
前記ねじ孔Ｘと前記ねじ孔Ｙとのねじ止めにより行われる請求項１から６のいずれかに記載の換気フード。
【発明の詳細な説明】
【技術分野】
【０００１】
本発明は、建物の換気を行うための換気口に取り付けられる換気フードに関するものである。
【背景技術】
【０００２】
従来、この種の換気フードとして換気口部材が知られている（例えば、特許文献１参照）
以下、その換気口部材について図７を参照しながら説明する。
【０００３】
図７に示すように、従来の換気口部材は、建物の外壁内に設けられたダクト内に嵌挿される本体筒１０１と、本体筒１０１に設けられた抜け止め金具１０２と、本体筒１０１に接続されるフード本体１０３とでなる換気フードにおいて壁面に接するフードフランジ部１０４に複数の半抜き穴１０５を設けた構成とし、半抜き穴１０５を介してねじ１０６で外壁に取付けできる施工方法としている。
【先行技術文献】
【特許文献】
【０００４】
【特許文献１】特開平８−３０３８３０号公報
【発明の概要】
【発明が解決しようとする課題】
【０００５】
このような従来の換気フードにおいては、フードと壁をねじにて固定させる際に、ねじで壁に穴を空けてしまい、住宅の耐久性が損なわれるという課題を有する。
【０００６】
また、施工時にねじ止めの工程が発生し、施工現場での施工時間の増大を招いている。
【０００７】
そこで本発明は、上記従来の課題を解決するものであり、ねじによる壁の損傷を防止すると共に、施工現場での施工の簡略化を可能とする換気フードを提供することを目的とする。
【課題を解決するための手段】
【０００８】
本発明の換気フードは上記目的を達成するために、中空円筒形のダクトに配置するカバーと、当該カバーを前記ダクトに固定するための係止部材とを備えた換気フードであって前記カバーは、前記ダクトの内周側にて挿抜可能な円筒部を備え、前記係止部材は、前記円筒部の外周径と略同一の内周径であるリング形状を有する受け部と、前記受け部から前記リング形状における中心軸と平行方向に突出する複数の支持体と、前記支持体の先端にて前記円筒部の挿入方向における先端により外周方向に押し出される抜け規制部と、前記カバーに固定可能な固定構造と、を備えたものであり、これにより所期の目的を達成するものである。
【発明の効果】
【０００９】
本発明によれば、ねじによる壁の損傷を防止すると共に、施工現場での施工の簡略化を可能とする換気フードを提供することができる。
【図面の簡単な説明】
【００１０】
【図１】本発明の換気フードの構成を示す斜視図
【図２】係止部材斜視図
【図３】カバーと係止部材を係着させた斜視図
【図４】換気フードのダクト取り付け状態を示す断面図
【図５】カバーと係止部材の固定方法を示す側面図
【図６】カバーと係止部材の固定方法を示す斜視図
【図７】従来の換気フードの構成を示す断面図及び正面図
【発明を実施するための形態】
【００１１】
以下、添付図面を参照して本発明の実施の形態につき説明し、本発明の理解に供する。なお、以下の実施の形態は、本発明を具体化した一例であって、本発明の技術的範囲を限定するものではない。また、全図面を通して、同一の部位については同一の符号を付して二度目以降の説明を省略している。
（実施の形態）
まず、図１及び図２を用いて本発明に係る換気フード１の構成について説明する。なお、図１は本発明に係る換気フード１の斜視図、図２は係止部材４の斜視図である。
【００１２】
換気フード１は、フード部２と、カバー３と、係止部材４とを備えている。
【００１３】
カバー３は、例えば住宅の外壁等に設けられた貫通孔の内周に備えられたダクトの端部に配置され、当該ダクト内への風雨の浸入を防止する機能を有する。カバー３は、円筒部２０とフード部２とを備えている。
【００１４】
円筒部２０は、中空円筒形状を有し、ダクトの内周側に当該中空円筒形状の外周面を位置させて当該ダクトに挿抜可能となっている。つまり、円筒部２０の外径はダクトの内径に比して小さい。円筒部２０の一端は、外周側が中心軸方向に傾斜した傾斜部３０を備えている。
【００１５】
フード部２は、円筒部２０の２つの端部開口のうち、フード部側開口２１に接続されて設けられている。フード部２は、円筒部２０及びダクト内への風雨の浸入を防止すべく、例えばフード部側開口２１に対向する外面２２は閉じられており、設置時における下面２３が開けている。これにより、ダクトからの空気の流れはフード部２のフード部側開口２１及びフード部２の内部空間を介して下面２３に導かれて通気風路が確保され、上方や側方からの風雨の侵入を防ぐことができる。ただし、フード部２の構造はこの限りではない。
【００１６】
係止部材４は、受け部５と、支持体６とを備えている。
【００１７】
受け部５は、中心軸２５を軸中心としたリング形状を有し、当該リング形状における内周径が円筒部２０の外周径と略同一である。つまり、受け部５は円筒部２０の外周において挿抜可能である。受け部５は、内周から外周方向、すなわちリング形状における半径方向に張り出すフランジ部２４（後に示す図３におけるフランジ部１０）を備えている。受け部５は、中心軸２５と平行方向であってフランジ部２４とは逆側、すなわち挿入方向２６側に、当該受け部５から突出する複数の支持体６（本実施の形態では３個）を備えている。
【００１８】
支持体６は、中心軸２５と平行に突出した板形状であり、板形状における一平面３１が中心軸２５に向けて、他平面３２が径方向外側に向けて設けられている。支持体６は、それぞれ抜止部８と、抜け規制部７とを備える。
【００１９】
抜止部８は、支持体６の他平面側に、当該他平面から径方向外側に僅かに突出する板状部材として設けられる。抜止部８は、挿入方向２６における先側にて支持体６と固定する支持体固定部２７を備えている。また、抜止部８は、挿入方向２６における後側にて支持体６から支持体固定部２７よりも外周側に所定の角度αで立ち上がる返し部２８を備えている。さらに抜止部８は、楔部９を備えている。
【００２０】
楔部９は、返し部２８の外周側に備えられており、挿入方向２６とは逆方向、すなわち抜け方向２９に対して先端が鋭利に尖った鋭角を向け、挿入方向２６に対しては鋭角を備えていない、すなわち三角形状を有する。つまり楔部９は、その鋭角の方向により、円筒部２０の挿入方向２６への移動に比して円筒部２０の抜け方向２９への移動を抑制することができるが詳細は後述する。
【００２１】
抜け規制部７は、三角柱形状を有し、支持体６の挿入方向２６側先端にて、一平面３１から中心軸２５方向に突出して設けられる。抜け規制部７は、三角柱形状における底部及び頂部を支持体６の周方向の幅に合せて一平面３１側に配置され、さらに三角柱形状の第一面３３を一平面３１に固定し、第二面３４は一平面３１に対して鈍角βを形成するように配置される。そして鈍角βを有する第二面３４の傾斜は、一平面３１において挿入方向２６側先端に向かうにつれて漸次中心軸２５に向かうように配置される。第三面３５については特に限定しない。
【００２２】
続いて、図３及び図４を用いて、上記構成を有する換気フード１をダクトに設置する手順を説明する。ここで図３は、カバー３と係止部材４を係着させた斜視図、図４は、換気フード１のダクト取り付け状態を示す断面図である。なお、図４において、家屋等の壁１１と、壁１１に設けられた貫通孔の内周に配置されたダクト１２とが示されている。
【００２３】
まず、カバー３の円筒部２０における外周面と係止部材４の受け部５における内周面とを一致させ、支持体６が挿入方向２６側に突出する向きにして、カバー３と係止部材４とを位置させ、即ち係着する。この際、円筒部２０の中心軸２５方向の長さは、係止部材４の受け部５から支持体６の先端部までの長さとほぼ一致する。ただし、この状態では、フード部２とフランジ部１０とは数ミリ程度空間を空けた状態としておく。なお、カバー３と係止部材４との係着構造についてはここでは限定する必要は無いため後述する。
【００２４】
次に、この状態で、カバー３をダクト１２に挿入すると、円筒部２０の先端に設けられた傾斜部３０が抜け規制部７を外周方向へ押し出す。これにより、抜け規制部７がダクト内周壁を付勢する。ここで、傾斜部３０と上述した抜け規制部７との構造により、カバー３を挿入方向２６に挿入すれば挿入するほど、抜け規制部７の付勢は強固なものとなる。そして、さらに、抜止部８の抜け方向先端端部と楔部９とがダクト１２の内周壁に引っかかることで、カバー３の抜け方向２９への移動を抑制（規制）することができる。
【００２５】
以上のように、抜け規制部７を備えた係止部材４を備えることで、カバーの挿入のみにより、換気フード１を強固にダクト１２に配置することができ、ねじによる壁の損傷を防止すると共に、施工現場での施工の簡略化を可能とすることができる。
【００２６】
また、抜止部８や楔部９が、係止部材４の抜け方向２９への移動を抑制するため、一端挿入後はカバー３の抜けを困難にしている。
【００２７】
続いて、係止部材４とフード部２とを係止する係止構造について、図５、図６を用いて説明する。なお図５は、カバー３と係止部材４の固定方法を示す側面図、図６は、カバー３と係止部材４の固定方法を示す斜視図である。
【００２８】
図５に示すように、円筒部２０のフード部側開口２１近傍の外周側に、当該円筒部２０の外周に沿ってねじ切り処理が施されており、すなわちねじ部Ａ１３が設けられている。また、リング形状を有する受け部５の内周側には、ねじ部Ａ１３に対応するねじ部Ｂ１４、すなわちカバー３に固定可能な固定構造が設けられている。
【００２９】
そして、カバー３と係止部材４との固定は、ねじ部Ａ１３とねじ部Ｂ１４との螺合により行われる。ねじ部Ａ１３とねじ部Ｂ１４とを螺合する際には、設置の前段である図３で示した状態では、例えば８０％の螺合とする。そして、円筒部２０をダクト１２にある程度挿入した状態で、残りの２０％の螺合を行う。これにより、最深部への挿入状態で抜け規制部７が外側に付勢され、強固に固定することができる。ただし、円筒部２０とダクト１２との間にある程度余裕がある場合には、設置の前段で１００％の螺合を行っていても問題ない。
【００３０】
また、係止部材４の固定構造は、以下のようにしてもよい。すなわち、図６に示すように、係止部材４のフランジ部１０にねじ孔Ｙ１６を複数個所備える。このねじ孔Ｙ１６は、支持体６の抜け方向２９への延長上に設けられるのが好ましい。理由は後述する。そして、フード部２上であって、係止部材４とフード部との固定時にねじ孔Ｙ１６と対応する場所に、ねじ孔Ｘ１５を備える。
【００３１】
そして、カバー３と係止部材４との固定は、ねじ孔Ｘ１５とねじ孔Ｙ１６とをねじ１７でねじ止めすることで行われる。ねじ孔Ｘ１５とねじ孔Ｙ１６とをねじ止めする際には、設置の前段である図３で示した状態では、例えば８０％のねじ止めとする。そして、円筒部２０をダクト１２にある程度挿入した状態で、残りの２０％のねじ止めを行う。これにより、最深部への挿入状態で抜け規制部７が外側に付勢され、強固に固定することができる。この際、ねじ孔Ｙ１６は、支持体６の抜け方向２９への延長上に設けられることで、受け部５の歪みに吸収されること無く、直接ねじ１７が抜け規制部７を挿入方向２６に押し込むことができ、付勢が強固になる。なお、円筒部２０とダクト１２との間にある程度余裕がある場合には、設置の前段で１００％のねじ止めを行っていても問題ない。
【産業上の利用可能性】
【００３２】
本発明は、室内外に施工される換気フードとして有用である。
【符号の説明】
【００３３】
１    換気フード
２    フード部
３    カバー
４    係止部材
５    受け部
６    支持体
７    抜け規制部
８    抜止部
９    楔部
１０    フランジ部
１１    壁
１２    ダクト
１３    ねじ部Ａ
１４    ねじ部Ｂ
１５    ねじ孔Ｘ
１６    ねじ孔Ｙ
１７    ねじ
２０    円筒部
２１    フード部側開口
２２    外面
２３    下面
２４    フランジ部
２５    中心軸
２６    挿入方向
２７    支持体固定部
２８    返し部
２９    抜け方向
３０    傾斜部
３１    一平面
３２    他平面
３３    第一面
３４    第二面
３５    第三面
【図１】
2018031513.tif 000003
【図２】
2018031513.tif 000004
【図３】
2018031513.tif 000005
【図４】
2018031513.tif 000006
【図５】
2018031513.tif 000007
【図６】
2018031513.tif 000008
【図７】
2018031513.tif 000009